(57)【特許請求の範囲】
【請求項１】
綱に安全帯のフックを掛けたことを電気的に検知するための信号を通す導体線を
延伸する前記綱に沿って、前記綱の内又は／及び外に備え、
前記導体線は、信号の行きと戻りのために対になっていて、一方は、電気的にシールドされない導体線または電気的にシールドされない絶縁被覆導体線であり、他方は、前記導体線が絶縁被覆され、且つ、その上から金属体で被覆され、前記金属体を一定の電位に接地することを可能としたことで前記導体線を電気的にシールドされるようにしたことを特徴とする信号線付き親綱。
【請求項２】
前記導体線の前記対は、前記綱の先端側で引き出され、両者を電気的接続するための接続具を備えたことを特徴とする請求項１記載の信号線付き親綱。
【請求項３】
前記導体線は、前記導体線を保護するため保護管に挿入されていることを特徴とする請求項１又は請求項２に記載の信号線付き親綱。
【請求項４】
請求項１から請求項３のいずれか１つに記載の信号線付き親綱と、
前記フック掛けを検出するための検知信号を発生する検知信号発生器と、前記検知信号に関して前記フック掛けを判断する検知器と、前記綱にかけるべきフックと、前記フックに備えた電気回路部とを備え、前記検知信号は、前記検知信号発生器から前記導体線に送られ、前記フックは、前記綱に掛けるためのＣの字形状部と切片を有し、前記Ｃの字形状部の一端に前記切片の一端が回転自在に付いていて、前記フックの開閉に対応して、前記Ｃの字形状部の他端と、前記切片の他端が、離間または接触するものであり、
前記フックが前記綱に掛けられたことによる前記フックの閉状態により、前記フックに備えた前記電気回路部で電気的閉回路が構成され、前記導体線を流れる前記検知信号による電磁界が前記電気的閉回路に電気的影響を与え、
前記導体線を流れる前記検知信号と前記電気回路部との間に電磁的又は電気的相互作用が起こることによる前記電気回路部内の電気量を前記検知器が検知してフック掛けを判断することを特徴とする信号線付き親綱を用いた安全帯フック掛け検知装置。
【請求項５】
前記電気回路部は、所定の共振周波数を有する共振素子回路を備え、前記検知信号発生器は、前記所定の共振周波数と同じ周波数の信号を発生し、前記検知信号として前記導体線へ送付するものであり、前記検知器は、前記導体線を介して戻ってくる前記検知信号を受けて、前記所定の周波数の信号強度により、前記共振素子回路による電力損失を検出し、所定以上の損失がある場合をフック掛けがあると判断することを特徴とする請求項４記載の信号線付き親綱を用いた安全帯フック掛け検知装置。
【請求項６】
前記共振素子回路は、前記フック毎に相異なる周波数の共振周波数をもつ共振素子回路を備え、前記検知信号発生器は、これに対応して相異なる周波数と同じ周波数の複数信号を発生、送付し、前記検知器は、これらの戻ってくる信号を受けて判断することで、損失を受けた検出信号の周波数によりフック個々を識別することを可能とすることを特徴とする請求項５記載の信号線付き親綱を用いた安全帯フック掛け検知装置。
【請求項７】
前記検知信号発生器は、所定の信号を発生し、前記検知信号として前記導体線へ送付するものであり、前記電気回路部は、前記電気的閉回路に誘導された前記検知信号成分を増幅する増幅器を有し、所望の信号強度以上かどうかを判断する閾値をもつ前記検知器を有することを特徴とする請求項４記載の信号線付き親綱を用いた安全帯フック掛け検知装置。
【請求項８】
請求項１から請求項３のいずれか１つに記載の信号線付き親綱と、
前記導体線と前記フックとの電気的接触を検出する検出回路とを有することを特徴とする信号線付き親綱を用いた安全帯フック掛け検知装置。
【発明の詳細な説明】
【技術分野】
【０００１】
本発明は、信号線付き親綱とこれを用いた高所作業での転落防止のための安全帯のフック掛けを検出する装置に関するものである。
【背景技術】
【０００２】
安全帯のロープ（ランヤード）先についたフックを親綱又は他の堅固な支持物に掛けた状態を検出して、不都合な場合に警報を出すなどの検出装置の例として、特許文献１から特許文献２に見ることができる。
特許文献１では、段落番号０００８、０００９に第二センサ（使用状態検出センサ）のスイッチが押されることでフック掛けの是非を検出している。これは、被掛止物により押圧されて移動するスイッチであり、使用不使用スイッチと記述され、この切片が被掛止物により押圧されて移動することで、根元に着いた電気的スイッチが駆動されるものである。フック自体が最初から極めて頑丈になってないといけない。又、親綱との接触が随時変わるのでセンス信号が不安定であること、接触の繰り返しストレスにより破損しやすく、破損や故障をすると、フック自体から無駄になってしまう欠点がある。又、センス信号の配線が、管として構成したフックの中を通さなければならないなど複雑で、フック強度と重量が必要となるなど多くの欠点がある。
特許文献２では、フック内にコイルを這わせ、親綱側に磁性体を備えて、磁束の変化による起電力でフック掛けの是非を検出している。フック内のコイルは、フックの開き部の先端において、コイルの電極が接触するようにしている。この構造は、極めて複雑であり製作が厄介である。さらに接触点での信頼性に欠けるし、先端の開き部は、親綱等が通過する部分であり、度重なる接触で劣化するものであり、又、コイル回路のどこで不具合になっても、フック全体が駄目になる欠点を有する。前の例と同じく、管として構成したフックの中を通さなければならないなど複雑で、フック強度と重量が必要となる欠点もある。又、親綱全体に磁性体を施さ無ければならない欠点もある。尚、この発明で、親綱側に磁性体を備えるとなっているが、均質に備えると、フックを移動してもコイルを貫く磁束の量は一定なので、起電力は発生しない。以上のいずれでも、親綱とフックとの掛かりを検出するための親綱に導電線を備えた信号線の入った親綱とこれとフック側との電気的関係を用いた検知装置は見当たらない。
【先行技術文献】
【特許文献】
【０００３】
【特許文献１】特許第５０７９６３７号
【特許文献２】特許第３９８６６５６号
【発明の概要】
【発明が解決しようとする課題】
【０００４】
本発明の課題は、フック側に付けた機械的・電気的スイッチや、光センサなどに寄らずに、
親綱内に備えた信号線の信号とフック側の電気装置との相互作用により、フック掛けを検出するための信号線付き親綱とこれを用いた安全帯フック掛け検知装置を提供する。
【課題を解決するための手段】
【０００５】
本発明の信号線付き親綱とこれを用いた安全帯フック掛け検知装置は、
綱に安全帯のフックを掛けたことを電気的に検知するための信号を通す導体線を
延伸する前記綱に沿って、前記綱の内又は／及び外に備え、導体線は、信号の行きと戻りのために対になっていて、一方は、電気的にシールドされない導体線または電気的にシールドされない絶縁被覆導体線であり、他方は、導体線が絶縁被覆され、且つ、その上から金属体で被覆され、金属体を一定の電位に接地することを可能としたことで導体線を電気的にシールドされるようにしたことを特徴とする信号線付き親綱とこれを用いた安全帯フック掛け検知装置となっている。
以下、請求項に沿って説明する。
【０００６】
請求項１記載の発明は、信号線付き親綱であって、
綱に安全帯のフックを掛けたことを電気的に検知するための信号を通す導体線を
延伸する前記綱に沿って、前記綱の内又は／及び外に備え、
前記導体線は、信号の行きと戻りのために対になっていて、一方は、電気的にシールドされない導体線または電気的にシールドされない絶縁被覆導体線であり、他方は、前記導体線が絶縁被覆され、且つ、その上から金属体で被覆され、前記金属体を一定の電位に接地することを可能としたことで前記導体線を電気的にシールドされるようにしたことを特徴とする。
【０００７】
請求項２記載の発明は、請求項１記載の信号線付き親綱において、
前記導体線の前記対は、前記綱の先端側で引き出され、両者を電気的接続するための接続具を備えたことを特徴とする。
【０００８】
請求項３記載の発明は、請求項１又は請求項２に記載の信号線付き親綱において、
前記導体線は、前記導体線を保護するため保護管に挿入されていることを特徴とする。
【０００９】
請求項４記載の発明は、信号線付き親綱を用いた安全帯フック掛け検知装置であって、
請求項１から請求項３のいずれか１つに記載の信号線付き親綱と、
前記フック掛けを検出するための検知信号を発生する検知信号発生器と、前記検知信号に関して前記フック掛けを判断する検知器と、前記綱にかけるべきフックと、前記フックに備えた電気回路部とを備え、前記検知信号は、前記検知信号発生器から前記導体線に送られ、前記フックは、前記綱に掛けるためのＣの字形状部と切片を有し、前記Ｃの字形状部の一端に前記切片の一端が回転自在に付いていて、前記フックの開閉に対応して、前記Ｃの字形状部の他端と、前記切片の他端が、離間または接触するものであり、
前記フックが前記綱に掛けられたことによる前記フックの閉状態により、前記フックに備えた前記電気回路部で電気的閉回路が構成され、前記導体線を流れる前記検知信号による電磁界が前記電気的閉回路に電気的影響を与え、
前記導体線を流れる前記検知信号と前記電気回路部との間に電磁的又は電気的相互作用が起こることによる前記電気回路部内の電気量を前記検知器が検知してフック掛けを判断することを特徴とする。
【００１０】
請求項５記載の発明は、請求項４記載の信号線付き親綱を用いた安全帯フック掛け検知装置において、
前記電気回路部は、所定の共振周波数を有する共振素子回路を備え、前記検知信号発生器は、前記所定の共振周波数と同じ周波数の信号を発生し、前記検知信号として前記導体線へ送付するものであり、前記検知器は、前記導体線を介して戻ってくる前記検知信号を受けて、前記所定の周波数の信号強度により、前記共振素子回路による電力損失を検出し、所定以上の損失がある場合をフック掛けがあると判断することを特徴とする。
【００１１】
請求項６記載の発明は、請求項５記載の信号線付き親綱を用いた安全帯フック掛け検知装置において、
前記共振素子回路は、前記フック毎に相異なる周波数の共振周波数をもつ共振素子回路を備え、前記検知信号発生器は、これに対応して相異なる周波数と同じ周波数の複数信号を発生、送付し、前記検知器は、これらの戻ってくる信号を受けて判断することで、損失を受けた検出信号の周波数によりフック個々を識別することを可能とすることを特徴とする。
【００１２】
請求項７記載の発明は、請求項４記載の信号線付き親綱を用いた安全帯フック掛け検知装置において、
前記検知信号発生器は、所定の信号を発生し、前記検知信号として前記導体線へ送付するものであり、前記電気回路部は、前記電気的閉回路に誘導された前記検知信号成分を増幅する増幅器を有し、所望の信号強度以上かどうかを判断する閾値をもつ前記検知器を有することを特徴とする。
【００１３】
請求項８記載の発明は、信号線付き親綱を用いた安全帯フック掛け検知装置であって、
請求項１から請求項３のいずれか１つに記載の信号線付き親綱と、
前記導体線と前記フックとの電気的接触を検出する検出回路とを有することを特徴とする。
【発明の効果】
【００１４】
以上の様に構成されているので、フック側に付けた機械的・電気的スイッチや、光センサなどに寄らずに、親綱内に備えた信号線の信号とフック側の電気装置との相互作用により、フック掛けを検出できる。
【図面の簡単な説明】
【００１５】
【図１】本発明の信号線付き親綱の一実施態様を示す図である。
【図２】本発明の信号線付き親綱の使用時の一実施態様を示す図である。
【図３】本発明の信号線付き親綱を用いた安全帯フック掛け検知装置の別の実施態様を示す図である。
【図４】本発明の信号線付き親綱を用いた安全帯フック掛け検知装置の別の実施態様を示す図である。
【図５】本発明の信号線付き親綱を用いた安全帯フック掛け検知装置の別の実施態様を示す図である。
【図６】本発明の信号線付き親綱を用いた安全帯フック掛け検知装置の一実施態様を示す図である。
【発明を実施するための形態】
【００１６】
本発明の信号線付き親綱は、
綱に安全帯のフックを掛けたことを電気的に検知するための信号を通す導体線を延伸する前記綱に沿って、前記綱の内又は／及び外に備え、導体線は、信号の行きと戻りのために対になっていて、一方は、電気的にシールドされない導体線または電気的にシールドされない絶縁被覆導体線であり、他方は、導体線が絶縁被覆され、且つ、その上から金属体で被覆され、金属体を一定の電位に接地することを可能としたことで導体線を電気的にシールドされるようにしたことを特徴とする信号線付き親綱であり、安全帯フック掛け検知装置は、これを用いて、検知信号発生器と検知器とフックに備えた電気回路部を備えている。
以下図に沿って説明する。
【００１７】
図１は、本発明の信号線付き親綱の一実施態様を示す図である。
１−Ａには、電気導体である２本の導体線が親綱の中心に通っている例である。
ここでは、保護管１１１の管孔１１２の中を２本の導体線１２０Ａ、１２０Ｂが通っている。導体線１２０Ａは、金属網被覆の絶縁被覆電線の状態であり、内部の絶縁被覆電線が金属網の被覆で電気的にシールドされることができる。即ち、シールドのために金属網は一定の電位に接地されて使用される。導体線１２０Ｂは、絶縁被覆電線の状態であるので、その周りに発する電磁界は外部との間で検出に供することができる。従って、この２本の導体線１２０Ａ、１２０Ｂは、一方の先端で接続されることで、他の端から入った信号を導体線１２０Ａ，１２０Ｂに流すことができて、一方は、送付線、他方は戻り線で回路を構成する。
保護管１１１の外側には、親綱として強度をもつ綱体１３０が編み込まれ形成されている。
綱体１３０が柔軟に曲がるように、導体線１２０Ａ、１２０Ｂも含め保護管１１１も柔軟に曲がる。１−Ａにおいては、親綱の先端（この図で右先端）側の長さ方向に、導体線１２０Ａ、１２０Ｂが引き出されているが、１−Ｂでは、親綱の先端（この図で右先端）側の綱の側面方向に導体線１２０Ａ、１２０Ｂが引き出されている点が違っている例である。以上、説明した保護管１１１の管孔１１２の中を２本の導体線１２０Ａ、１２０Ｂがある状況を左の先端を拡大して示したのが１−Ｃである。導体線１２０Ａは、絶縁被覆電線１２１が金属網１２２でその周りを覆われている。金属網１２２に繋がる接地用電線１２３が接地用に使われる。例えば、右側では、導体線１２０Ａ、１２０Ｂが接続されて、左側の絶縁被覆電線１２１、１２４が各々、信号線として信号源や、検知器に電気的に繋げられる。この様に、親綱内に２本の導体線を備えると、これのみで電気回路を構成できるので好都合である。
尚、２本の導体線の内、往復の線のどちらかをシールドしたのは、以下の理由である。
シールドした場合は、シールドされた側の電線の電磁界は外には出てこないので、外では検知されない。従って、シールドされない側の電磁界のみ外にでて検知されるので、検知信号を得ることができる。両方ともシールドされていない場合は、両方の電線に同じ信号が流れ、しかも逆向きなので、電磁界は互いに打ち消しあい外に出てこない。従って、検出信号を得ることができない。一方のみシールドするのはこのためである。
尚、保護管１１１は、必ずしも必要ではないが、あれば、絶縁被覆電線等の電線を出し入れする場合には、容易になり好都合である。
【００１８】
１−Ｄと１−Ｅには、導体線が１本の場合を示す。１−Ｄでは、絶縁被覆電線１４０（この場合は、必ずしも絶縁でなくともよい）の周りに親綱として強度をもつ綱体１３０が編み込まれた構成である。
１−Ｅでは、親綱として強度をもつ綱体１３０の少なくとも側面１５０が導体である例である。
勿論、親綱全体が導体で編まれていても良い。
導体線が１本しかないので、親綱以外に、導体線に繋がる戻りの導体線を他に準備しなければならないので、２本線の場合より少し不便である。
尚、以上では、電磁界を検知するとして電気回路を構成したが、単なる電気的接触を見ることで考えるとフックの接触を見るためにフック側との電気回路を構成することになるので、１本線でもよい。しかし、１本線は、他に導体線を引いて、全体的には回路にしないと用を成さないので、使用上は面倒であり、極めて使いにくい。
【００１９】
図２は、本発明の信号線付き親綱の使用時の一実施態様を示す図である。
特に図１の１−Ａ、１−Ｂに示す信号線付き親綱の２本の導体線１２０Ａ、１２０Ｂを一方の先端で簡単に接続する接続具２００を示している。
親綱側の導体線１２０Ａ、１２０Ｂは、それぞれ二つの導体ピン２０１に接続してあり、一方、右側では、この導体ピン２０１が挿入される二つの導体ピン受け２０２があり、これらは、接続体２０３で電気的に繋がっている。導体ピン２０１と導体ピン受け２０２は、各々、互いに嵌め合える雄雌構造のコネクタ容器２１０Ａ、２１０Ｂに内在している。
ゆえに、この接続具であるコネクタは、嵌めることで容易に導体線１２０Ａ、１２０Ｂの電気的接続ができる。
【００２０】
図６は、本発明の信号線付き親綱を用いた安全帯フック掛け検知装置の一実施態様を示す図である。
安全帯フック掛け検知装置６００は、以上説明した信号線付き親綱６１０を用いたものであり、
上記の信号線付き親綱６１０と、フック掛けを検出するための検出信号を発生する検知信号発生器６２０と、検知信号を受けてフック掛けを判断する検知器６３０と、フック６４０と、これに備えた電気回路部６４１とを備え、検知信号は、検知信号発生器６２０から信号線付き親綱６１０の導体線（図１では、１２０Ａ、１２０Ｂ）へ導体線６１１を介して送られ、フック６４０は、Ｃの字形状部６４２と切片６４３を有し、Ｃの字形状部６４２の一端に切片６４３の一端が回転結合部６４４により回転自在に付いていて、フック６４０の開閉に対応して、Ｃの字形状部６４２の他端の内側で、切片６４３の他端が、離間または接触するものであり、フック６４０が信号線付き親綱６１０に掛けられた状態でのフックの閉状態では、Ｃの字形状部６４２の端と切片６４３の端が電気的に接触して、
フックに備えた電気回路部６４１との間で電気的閉回路が構成され、検知信号による電磁界が電気的閉回路に電気的影響を与え、導体線６１１を流れる検出信号と電気回路部６４１との間に電気的相互作用が起こることによりフック掛けを判断することができる。
検知信号発生器６２０と検知器６３０と、フック６４０に備えた電気回路部６４１は、図３と図４の例では、各々説明するような違いが出る。
尚、フック６４０は、信号線付き親綱６１０に掛けて使うものである。掛けるときは、
切片６４３を内側に押して開き、間隙から信号線付き親綱６１０をＣの字形状部６４２の内側に取り込む。切片６４３が戻り閉じられると、切片６４３とＣの字形状部６４２の両端は電気的にも接触して電気回路部６４１が電気的閉回路になる。
図３と図４で共通なところは、図１の１−Ａ又は１−Ｂの片側シールドの２本の信号線が入った信号線付き親綱１００を使用していて、右端は、図２の接続具２００で電気的に繋がれていることである。
【００２１】
図３は、本発明の信号線付き親綱を用いた安全帯フック掛け検知装置の一実施態様を示す図である。
安全帯フック掛け検知装置３０００は、信号線付き親綱１００と、フック３１００と、信号線付き親綱１００の導体線１２０Ａ、１２０Ｂに検出信号を送る検知信号発生器３２１０と、戻り信号からフック掛けを検知する検知器３２２０を有する。
【００２２】
フック３１００は、図６で説明したように、Ｃの字形状部６４２と切片６４３があり、その中には電気回路部６４１があることは同じである。電気回路部６４１は、共振素子回路３１１０となっている。
Ｃの字形状部６４２と切片６４３内には電線（フックが金属では、これを導体代わりにできるので電線が不要）が配され、フックの切片の先端とこれを受けるＣ字部の先端部で電気的に接触し電気的閉回路を形成している。従って、信号線付き親綱１００にフック３１００を掛けた状態では、電気的閉回路を親綱の信号線が貫通していて、信号線の電磁界が交差し、共振素子回路３１１０との間で電磁的カップリングができる。尚、共振素子回路３１１０は、図示のように、電気抵抗、インダクタンス、静電容量の受動素子の組み合わせでもよいし、これらとトランジスタなどの能動素子の組み合わせでも構成されることは周知のことである。
【００２３】
図３の例では、検知信号発生器３２１０と略同体に検知器３２２０を有している。検知信号発生器３２１０は、共振素子回路３１１０の共振周波数と同じ周波数の信号を発生させるものであり、導体線１２０Ａ、１２０Ｂに送信する。検知器３２２０は、導体線１２０Ａ、１２０Ｂからの戻り信号を受けて以下のように検知するものである。共振素子回路３１１０の共振周波数と検知信号発生器３２１０の発振する信号の周波数が同じなので、共振素子回路３１１０は、送信された信号に共振して、エネルギーを得る。この分、信号側は、エネルギー損失ができるので、その周波数の損失分を検知すれば、エネルギー損失があれば、その共振素子回路３１１０を有するフック掛けがあることが検知できる。フックが外れていれば、エネルギー損失はないか少ないことになる。これは、親綱の長さ方向のどの位置にあっても検出が可能である。
尚、相異なる周波数の複数の共振素子回路３１１０を備えてフック３１００側で切り替えると、現場端末の検知信号発生器３２１０側で、これらの複数の周波数の発振信号を送れば、その中の一つの周波数成分のみエネルギー損失が見られるので、どの共振素子回路３１１０をもつフック３１００が掛かっているか判別でき、複数の間での個別認識（使用者の認識）もできる。
尚、現場端末側でフック掛けが検出できるので、警報手段や通信手段を備えれば、そのまま、フックが掛けられていない場合や外された場合には、現場端末や他の端末、遠隔の管理装置で判断又は／及び警報をすることもできる。
【００２４】
図４は、本発明の信号線付き親綱を用いた安全帯フック掛け検知装置の別の実施態様を示す図である。
図３の例では、検知器３２２０を検知信号発生器３２１０と略同体に備えたが、図４では、検知器４１２０は、安全帯のフック４１００の側に電気回路部４１１０と略同体に備えている。
全体構成を述べる。
安全帯フック掛け検知装置４０００は、信号線付き親綱１００と、フック４１００と、信号線付き親綱１００の導体線１２０Ａ、１２０Ｂに検出信号を送る検知信号発生器４２１０を有する。
フック４１００は、図６で説明したように、Ｃの字形状部６４２と切片６４３があり、その中には電気回路部６４１があることは同じであり、電気回路部６４１は、フックの開閉片の先端とこれを受けるＣ字部の先端部で電気的に接触し、電気的閉回路を構成している。
又、電気回路部６４１と電気的に結合して検知器４１２０が備えられている。
尚、図３の例と同じく、フックが金属では、これを導体代わりにできるので電線が不要となる。
従って、信号線付き親綱１００にフック４１００を掛けた状態では、電気的閉回路を親綱の信号線が貫通していて、信号線の電磁界が交差し、電気的閉回路との間で電磁的カップリングができる。
検知信号によりフック４１００の電気回路部の導体を誘導電流がながれると、これが、検知器４１２０の中の増幅器に入力し増幅され、所定値以上の大きさの信号が検出されていれば、親綱の信号線を流れる信号を検出しているとみて、親綱へのフック掛け状態にあると判断する。
その結果は、警報出力や他の端末や遠隔の管理装置への通信に供されるので、警報手段や通信手段があると好都合であることは図３と同様である。
従って、フック掛けを判断するのは、図３とは違い、検知器４１２０を備えたフック４１００、従って、作業者の側の装置で行うことになる。そして、図３との違いは、共振を利用していないので、現場端末の備える検知信号発生器４２１０の周波数は任意のものとなる。又、戻りの信号の損失を見ることもない。
【００２５】
図５は、本発明の信号線付き親綱を用いた安全帯フック掛け検知装置の別の実施態様を示す図である。尚、図で５１０は、フックを示す。
５−Ａでは、図１の１−Ｄの親綱を用いて、図３の構成をとった場合である。点線で示すように戻り線が他に必要になる。尚、判断は、当然ながら検知器の役割でもある。
５−Ｂでは、図１の１−Ｅの親綱を用いて、電気的接触によるフック掛け検出をした場合である。故に親綱の電気的導体とフックの電気的導体の接触を電気的導通検出によって行うものである。いずれにせよ、１本線の場合は、他に導体線を用意する必要があり、不便さが残る。電気的導通検出は、検知器の役割でもある。
【００２６】
尚、安全帯としてのフック以外のロープや帯やハーネスは、安全帯として当然であるので記述を省略した。
又、図３と図４には、エリアセンスのためのエリアセンス手段が書かれているが、これは、安全帯又はそのフック従ってこれを付けた作業者が、転落防止のために管理されるべき高所作業エリアに入場していることを検出するもので、この間は、フック掛けを検出するためのものであり、あると好都合である。尚、エリアセンス手段は、そのエリアにいることを検出するので、ＲＦＩＤ−ＴＡＧとそのリーダー、フットスイッチ、画像検知、スクリーン光スイッチなど多くの検出手段が考えられる。更に、エリアセンス手段は、検知信号発生器側、フック側、所望のエリアなどいずれに備えてもよい。
【産業上の利用可能性】
【００２７】
以上のように本発明による信号線付き親綱とこれを用いた安全帯フック掛け検知装置
では、フック側に付けた機械的・電気的スイッチや、光センサなどに寄らずに、
親綱内に備えた信号線の信号とフック側の電気装置との相互作用により、フック掛けを検出できるので産業上利用して極めて好都合である。
【符号の説明】
【００２８】
１００  信号線付き親綱
１１１  保護管
１１２  管孔
１２０Ａ、１２０Ｂ  導体線
１２１、１２４、１４０  絶縁被覆電線
１２２  金属網
１２３  接地用電線
１３０  綱体
１５０  側面
２００  接続具
２０１  導体ピン
２０２  導体ピン受け
２０３  接続体
２１０Ａ、２１０Ｂ  コネクタ容器
６００  安全帯フック掛け検知装置
６１０  信号線付き親綱
６２０、３２１０、４２１０  検知信号発生器
６３０、３２２０、４１２０  検知器
６４０  フック
６４１、４１１０  電気回路部
６４２  Ｃの字形状部
６４３  切片
６４４  回転結合部
３０００、４０００  安全帯フック掛け検知装置
３１００、４１００  フック
３１１０  共振素子回路
【図１】
0006427804.tif 000002
【図２】
0006427804.tif 000003
【図３】
0006427804.tif 000004
【図４】
0006427804.tif 000005
【図５】
0006427804.tif 000006
【図６】
0006427804.tif 000007